(57)【要約】【課題】使用者の体格や好みに応じて、下半部の向きや長さ寸法を調整できるエルボガードを提供する。【解決手段】肘部Ｅに装着される肘当て本体１と、肘当て本体１の下端縁１０から垂下状に取着される延長保護片２とを、備え、延長保護片２の表て面に、面状ファスナーの雄部を形成し、かつ、肘当て本体１の裏面に、面状ファスナーの雌部が略全面にわたって形成されている。【選択図】図６
2016150079.tif 000002
【特許請求の範囲】
【請求項１】
肘部（Ｅ）に装着される肘当て本体（１）と、該肘当て本体（１）の下端縁（１０）から垂下状に取着される延長保護片（２）とを、備え、
上記延長保護片（２）の表て面に、面状ファスナーの雄部（８）を形成し、かつ、上記肘当て本体（１）の裏面に、面状ファスナーの雌部（９）が略全面にわたって形成されたことを特徴とするエルボガード。
【請求項２】
上記肘当て本体（１）は、緩衝用パッド部（６）を備え、該パッド部（６）は、表皮（１１）と発泡内装体（４）と裏生地（１２）を積層状に有し、
上記発泡内装体（４）と上記裏生地（１２）には、上記肘部（Ｅ）を受ける凹窪部（１３）が形成され、かつ、上記裏生地（１２）の肘対応面（１２ａ）には、上記面状ファスナーの雌部（９）が形成されている請求項１記載のエルボガード。
【請求項３】
上記延長保護片（２）は、複数本のステッチ（１５）が縫製されている請求項１又は２記載のエルボガード。
【発明の詳細な説明】
【技術分野】
【０００１】
本発明は、球技用のエルボガードに関する。
【背景技術】
【０００２】
従来、野球やソフトボール等の球技に於て、投球されたボールが打者の肘部及び前腕部に直接当たらないようにするエルボガードが使用されている（特許文献１参照）。
【先行技術文献】
【特許文献】
【０００３】
【特許文献１】特表２００３−５０５１７３号公報
【発明の概要】
【発明が解決しようとする課題】
【０００４】
しかし、特許文献１記載のエルボガードは、一体の防具を肘部から前腕部にわたって巻き付けて装着する為、長さ調節が出来なかった。使用者の体格や好みによって、エルボガードの長さ寸法が長すぎたり、短すぎたりすることがあった。例えば、エルボガードが長すぎると、使用者が違和感を感じ、プレーの邪魔になるという欠点があった。一方、エルボガードが短すぎると、腕部を十分に保護することができない為、ボールの直撃によってケガをする虞れがあった。
【０００５】
そこで、本発明は、使用者の体格や好みに応じて、下半部の向きや長さ寸法を調整できるエルボガードを提供することを目的とする。
【課題を解決するための手段】
【０００６】
本発明に係るエルボガードは、肘部に装着される肘当て本体と、該肘当て本体の下端縁から垂下状に取着される延長保護片とを、備え、上記延長保護片の表て面に、面状ファスナーの雄部を形成し、かつ、上記肘当て本体の裏面に、面状ファスナーの雌部が略全面にわたって形成されたものである。
【０００７】
また、上記肘当て本体は、緩衝用パッド部を備え、該パッド部は、表皮と発泡内装体と裏生地を積層状に有し、上記発泡内装体と上記裏生地には、上記肘部を受ける凹窪部が形成され、かつ、上記裏生地の肘対応面には、上記面状ファスナーの雌部が形成されているものである。
また、上記延長保護片は、複数本のステッチが縫製されているものである。
【発明の効果】
【０００８】
本発明のエルボガードによれば、面状ファスナーによって延長保護片を肘当て本体に着脱自在に取着でき、使用者の体格や好みに応じて、延長保護片の突出長さ寸法、及び、延長保護片の突出方向（向き）を自由に変更することができる。延長保護片の着脱が非常に容易であり、かつ、迅速に行うことができる。使用者が延長保護片を必要としない場合には、簡単に取外すことができる。
【図面の簡単な説明】
【０００９】
【図１】本発明の実施の一形態を示した正面図である。
【図２】本発明の実施の一形態を示した背面図である。
【図３】図１のＡ−Ａ断面図である。
【図４】図１のＢ−Ｂ断面図である。
【図５】図１のＣ−Ｃ断面図であり、（Ａ）は全体の断面図であり、（Ｂ）は要部拡大断面図である。
【図６】使用状態を示した斜視図である。
【発明を実施するための形態】
【００１０】
以下、実施の形態を示す図面に基づき本発明を詳説する。
図１と図６に示すように、本発明のエルボガードは、肘部Ｅに装着される肘当て本体１と、肘当て本体１の下端縁１０から垂下状に取着される延長保護片２とを、備えている。本発明のエルボガードは、野球、ソフトボール等のスポーツ（球技）の打者用として使用され、投球されたボールの直撃から肘部Ｅと前腕部Ｆを保護するように、使用者の肘部Ｅ近傍にベルト部材３を巻き付けて装着する。
【００１１】
肘当て本体１は、硬質保護部５と、硬質保護部５の裏面側に縫着される緩衝用パッド部６とを、有している。
図３と図４に示すように、緩衝用パッド部６は、表皮１１と、発泡内装体４と、裏生地１２とを、積層状に有し、裏生地１２の肘対応面１２ａには、面状ファスナーの雌部９が形成されている。言い換えると、肘当て本体１の裏面には、面状ファスナーの雌部９が略全面にわたって形成されている。なお、例えば、パッド部６の表皮１１はポリエステル系合成樹脂又は合成皮革とし、発泡内装体４はポリウレタン系発泡樹脂とし、裏生地１２はポリエステル系合成樹脂とするのが好ましい。パッド部６の外周縁には、全周にわたって縁巻部１９が縫製されている。
【００１２】
図２と図３に示すように、発泡内装体４と裏生地１２には、肘部Ｅを受ける凹窪部１３が形成され、凹窪部１３の左右側部に突隆部１４，１４を備えている。
凹窪部１３は、自由状態で弯曲面状に形成されており、横断面（図３のＡ−Ａ断面）に於ける凹窪部１３の第１曲率半径Ｒ１を、縦断面（図４のＢ−Ｂ断面）に於ける凹窪部１３の第２曲率半径Ｒ２よりも小さく設定している。突隆部１４，１４は、発泡内装体４の厚さ寸法Ｔが（局所的に）大きく設定され、裏生地１２を盛り上げて形成されている。
使用状態に於て、凹窪部１３に肘部Ｅ（の骨）が嵌め込まれ、なおかつ、突隆部１４，１４が肘部Ｅを左右から挟み込む（包み込む）。このように、肘当て本体１を装着すると、凹窪部１３と突隆部１４，１４によって肘部Ｅを包み込んで、肘当て本体１が回転して位置ずれするのを防止している。また、肘当て本体１の裏面（裏生地１２の肘対応面１２ａ）に面状ファスナーの雌部９が形成されることで、肌触りが良くなり、柔らかく肘部Ｅを包み込む為、装着感が向上するメリットがある。
【００１３】
図４と図５に示すように、延長保護片２は、表皮２０と発泡体２１と裏地２２とを有し、外周縁に縁巻部２３が縫製されている。延長保護片２の表て面（表皮２０）には、面状ファスナーの雄部８を形成している。面状ファスナーの雄部８は、延長保護片２の上端縁に沿って帯状に配設されている。なお、表皮２０はポリエステル系合成樹脂又は合成皮革とし、発泡体２１はポリウレタン系発泡樹脂とし、裏地２２はポリエステル系合成樹脂又は合成皮革とする。発泡体２１に、短冊状に形成された複数本の硬質樹脂製芯材を内装するも好ましい（図示省略）。
【００１４】
図１と図２に示すように、延長保護片２の上端縁から下端縁にわたって（上下方向に）、複数本のステッチ１５が縫製されている。
図５（Ｂ）に示すように、ステッチ１５を上下方向に形成することで、発泡体２１が圧縮されて延長保護片２の表て面と裏面に一文字状の窪みが凹設され、延長保護片２が折曲自在に形成されている。
【００１５】
図３と図４に示すように、硬質保護部５は、表皮１７と硬質樹脂板１６とを有し、外周縁に縁巻部１８が縫製されている。
図１と図６に示すように、ベルト部材３は、伸縮性を有する帯状紐から成り、肘当て本体１に一体縫着された取付部材３０，３０に連結されている。肘当て本体１は、ベルト係止手段７を備えている。ベルト係止手段７は、例えば、硬質保護部５の表て面に面状ファスナーの雌部を形成し、かつ、ベルト部材３に面状ファスナーの雄部を形成して、面状ファスナーの着脱によりベルト部材３の長さ調整を可能とするものである。
【００１６】
上述した本発明のエルボガードの使用方法（作用）について説明する。
図６に示すように、肘当て本体１の裏面に延長保護片２を取着し、肘部Ｅに肘当て本体１を当ててベルト部材３を巻き付けて装着する。延長保護片２は、面状ファスナーの雄部８を、肘当て本体１の裏面のどの位置にでも取付けることができる。従って、肘当て本体１の下端縁１０からの延長保護片２の突出長さ寸法Ｌ、及び、延長保護片２の突出方向を、自由自在に変更できる。肘当て本体１は、肘部Ｅを被覆してボールの直撃から肘部Ｅを保護し、延長保護片２は、肘当て本体１の下端縁１０から垂下状となって前腕部Ｆを保護する。延長保護片２が不要な時は、肘当て本体１から延長保護片２を取外して装着することも可能である。
【００１７】
使用状態に於て、凹窪部１３に肘部Ｅ（の骨）が嵌め込まれ、かつ、突隆部１４，１４が肘部Ｅを左右から挟み込んで（包み込んで）、肘当て本体１の廻り止めとなり位置ズレを防止する。凹窪部１３は、横断面の第１曲率半径Ｒ１を縦断面の第２曲率半径Ｒ２より小さく設定している為、肘部Ｅが凹窪部１３と突隆部１４，１４により包み込まれて固定装着感（ホールド感）が得られ、かつ、肘部Ｅの曲げ伸ばし動作の邪魔にならず、肘部Ｅの曲げ伸ばし動作を繰返しても肘当て本体１の位置ズレを確実に防止する。しかも、パッド部６の裏生地１２の肌対応面１２ａに面状ファスナーの雌部９が一体形成され、肘当て本体１を違和感なく装着でき、ホールド感がより一層向上する。
【００１８】
なお、本発明は、設計変更可能であって、例えば、肘当て本体１、及び、延長保護片２のデザインは要旨を変更しない範囲で、自由に変更できる。また、図例では、肘当て本体１の硬質保護部５と緩衝用パッド部６は縫着によって一体形成されているが、リベット等により固着したものであっても良い。
【００１９】
以上のように、本発明に係るエルボガードは、肘部Ｅに装着される肘当て本体１と、肘当て本体１の下端縁１０から垂下状に取着される延長保護片２とを、備え、延長保護片２の表て面に、面状ファスナーの雄部８を形成し、かつ、肘当て本体１の裏面に、面状ファスナーの雌部９が略全面にわたって形成されたので、面状ファスナーによって延長保護片２を肘当て本体１に着脱自在に取着でき、使用者の体格や好みに応じて、延長保護片２の突出長さ寸法Ｌ、及び、延長保護片２の突出方向（向き）を自由に変更することができる。延長保護片２の着脱が非常に容易であり、かつ、迅速に行うことができる。使用者が延長保護片２を必要としない場合には、簡単に取外すことができる。
【００２０】
また、肘当て本体１は、緩衝用パッド部６を備え、パッド部６は、表皮１１と発泡内装体４と裏生地１２を積層状に有し、発泡内装体４と裏生地１２には、肘部Ｅを受ける凹窪部１３が形成され、かつ、裏生地１２の肘対応面１２ａには、面状ファスナーの雌部９が形成されているので、肘当て本体１の位置ズレを確実に防止できる。肘部Ｅが凹窪部１３と突隆部１４，１４により包み込まれて固定装着感（ホールド感）を得ることができ、肘部Ｅを屈伸する方向に違和感無く曲げ伸ばしできる。裏生地１２の肘対応面１２ａの肌触りが良く、柔らかく肘部Ｅを包み込んで装着感を向上できる。
【００２１】
また、延長保護片２は、複数本のステッチ１５が縫製されているので、肘当て本体１の裏面の弯曲形状に対応して、延長保護片２を（ステッチ１５に於て）折曲自在に変形できる。延長保護片２の面状ファスナーの雄部８を、肘当て本体１の裏面の面状ファスナーの雌部９に、確実に取着できる。延長保護片２が肘部Ｅに沿って弯曲し、肘部Ｅの曲げ伸ばし動作の邪魔にならず、使用者に違和感を感じさせずに快適に使用できる。
【符号の説明】
【００２２】
１  肘当て本体
２  延長保護片
４  発泡内装体
６  パッド部
８  面状ファスナーの雄部
９  面状ファスナーの雌部
１０  下端縁
１１  表皮
１２  裏生地
１２ａ  肘対応面
１３  凹窪部
１５  ステッチ
Ｅ  肘部
【図１】
2016150079.tif 000003
【図２】
2016150079.tif 000004
【図３】
2016150079.tif 000005
【図４】
2016150079.tif 000006
【図５】
2016150079.tif 000007
【図６】
2016150079.tif 000008